(57)【要約】【課題】  映像の圧縮時に、可変ビットレート（ＶＢＲ）方式を使用する記録再生装置であって、所定の容量の記録媒体に対して所定の画質で映像を記録する場合には所定の録画時間となるようにした記録再生装置若しくは残録画時間量の管理方法の提供。【解決手段】  記録媒体の総容量に応じて設定される「総録画時間量」（ステップ３０２ａ）から、実際の録画時間に録画画質に応じた補正係数を乗じて減算する（ステップ３０７・３０８）ことによって得られた時間Ｔ１を、当該記録媒体に録画できる残り時間として扱うことにより、可変ビットレート方式であっても、所定の容量の記録媒体に対しては所定の録画時間となるようにする。【選択図】  図３
2006173789.tif 000002
【特許請求の範囲】
【請求項１】
映像信号のエンコード時に、当該映像信号の状況に応じて、割当てる単位時間あたりの情報量を変化させてエンコードし、記録媒体へのコンテンツの書込みを行う記録再生装置であって、前記記録媒体の容量に応じて当該記録媒体に記録できる総録画時間量を予め設定し、当該予め設定された総録画時間量から、当該記録媒体に記録されているコンテンツの実際の時間量を差し引くことにより、当該記録媒体に録画することができる残時間量を算出することを特徴とする記録再生装置。
【請求項２】
前記映像信号に割当てる単位時間当たりの情報量の変化範囲の設定により、前記記録媒体に記録するコンテンツの画質レベルを数段階から選択できるようにした請求項１記載の記録再生装置であって、前記総録画時間量から、前記記録媒体に記録されているコンテンツの実際の時間量に当該コンテンツの画質レベルに応じた補正係数を乗じて差し引くことにより、当該記録媒体に録画することができる残時間量を算出することを特徴とする記録再生装置。
【請求項３】
前記残時間量を、前記記録媒体に記録することを特徴とする請求項１又は請求項２に記載の記録再生装置。
【請求項４】
前記記録媒体に記録されているコンテンツの実際の時間量を、当該記録媒体に記録されている各コンテンツの録画時間情報から算出することを特徴とする請求項１又は請求項２に記載の記録再生装置。
【請求項５】
前記記録媒体の空き容量から予測される録画可能時間量が、前記算出された残時間量よりも少ない場合には、前記録画可能時間量を前記残時間量として扱うことを特徴とする請求項１乃至請求項４の何れか１つに記載の記録再生装置。
【請求項６】
映像信号のエンコード時に、当該映像信号の状況に応じて、割当てる単位時間あたりの情報量を変化させてエンコードし、記録媒体へのコンテンツの書込みを行う記録再生装置における、前記記録媒体へ録画することができる残録画時間量の管理方法であって、前記記録媒体の容量に応じて当該記録媒体に記録できる総録画時間量を予め設定し、当該予め設定された総録画時間量から、当該記録媒体に記録されているコンテンツの実際の時間量を差し引くことにより、当該記録媒体に録画することができる残時間量を算出することを特徴とする残録画時間量の管理方法。
【請求項７】
前記映像信号に割当てる単位時間当たりの情報量の変化範囲の設定により、前記記録媒体に記録するコンテンツの画質レベルを数段階から選択できるようにした記録再生装置における、請求項６記載の残録画時間量の管理方法であって、前記総録画時間量から、前記記録媒体に記録されているコンテンツの実際の時間量に当該コンテンツの画質レベルに応じた補正係数を乗じて差し引くことにより、当該記録媒体に録画することができる残時間量を算出することを特徴とする残録画時間量の管理方法。
【請求項８】
前記残時間量を、前記記録媒体に記録することを特徴とする請求項６又は請求項７に記載の残録画時間量の管理方法。
【請求項９】
前記記録媒体に記録されているコンテンツの実際の時間量を、当該記録媒体に記録されている各コンテンツの録画時間情報から算出することを特徴とする請求項６又は請求項７に記載の残録画時間量の管理方法。
【請求項１０】
前記記録媒体の空き容量から予測される録画可能時間量が、前記算出された残時間量よりも少ない場合には、前記録画可能時間量を前記残時間量として扱うことを特徴とする請求項６乃至請求項９の何れか１つに記載の残録画時間量の管理方法。
【請求項１１】
映像信号のエンコード時に、当該映像信号の状況に応じて、割当てる単位時間あたりの情報量を変化させてエンコードし、記録媒体へのコンテンツの書込みを行う記録再生装置に備えられるマイコンに、前記記録媒体から、当該記録媒体に録画することができる残時間量を取得するステップと、当該記録媒体に対するコンテンツの録画処理があった場合には当該コンテンツの録画時間量に当該コンテンツの画質レベルに応じた補正係数を乗じて前記残時間量から差し引くことにより前記残時間量を更新するステップと、当該更新された残時間量を前記記録媒体に記録するステップと、を実行させるための残録画時間量の管理プログラム。
【請求項１２】
映像信号のエンコード時に、当該映像信号の状況に応じて、割当てる単位時間あたりの情報量を変化させてエンコードし、記録媒体へのコンテンツの書込みを行う記録再生装置に備えられるマイコンに、前記記録媒体から当該記録媒体の総容量を取得し、当該総容量に応じて予め設定された当該記録媒体に記録できる総録画時間量を取得するステップと、前記記録媒体から当該記録媒体に記録されている各コンテンツの録画時間と画質レベルを示す情報を取得し、各コンテンツに対応する当該録画時間に画質レベルに応じた補正係数を乗じて得た時間データを積算して録画時間量を得るステップと、当該録画時間量を前記総録画時間量から減算することで当該記録媒体に録画することができる残時間量を算出するステップと、当該記録媒体に対するコンテンツの録画処理があった場合には当該コンテンツの録画時間量に当該コンテンツの画質レベルに応じた補正係数を乗じて前記残時間量から差し引くことにより前記残時間量を更新するステップと、を実行させるための残録画時間量の管理プログラム。
【請求項１３】
前記記録媒体から当該記録媒体の空き容量を取得するステップと、当該空き容量から予測される録画可能時間量と前記残時間量とを比較するステップと、当該比較の結果、時間量が少ない方を、前記記録媒体にさらに録画することができる時間量とするステップと、を実行させるための請求項１１又は請求項１２に記載の残録画時間量の管理プログラム。
【発明の詳細な説明】
【技術分野】
【０００１】
本発明は、映像信号のエンコード時に、当該映像信号の状況に応じて、割当てる単位時間あたりの情報量を変化させてエンコードし、記録媒体へのコンテンツの書込みを行う記録再生装置に関する。
【背景技術】
【０００２】
ＤＶＤに代表される記録媒体への映像の記録を行う記録再生装置では、記録媒体の容量が限られており、且つ、映像の情報量が大きいため、映像データを効率よく圧縮しようとする努力がなされている。このような映像（動画）圧縮技術の１つとしてＭＰＥＧがあり、ＭＰＥＧ圧縮時に、映像の動きや色の変化の激しい部分により多くの情報量を割り当てるＶａｒｉａｂｌｅ  Ｂｉｔ  Ｒａｔｅ（以下単にＶＢＲ）という方式がある。ＶＢＲ方式によれば、映像の変化の激しい部分にはより多くのビット（単位時間当たり）を割り当てることにより、映像の質を保ちつつ、その他の部分では低ビットレートとすることによりデータ量を抑えるということができるが、録画する映像の状況によってデータ量が変化するものであるため、容量が限られた記録媒体へどの程度の映像（時間）を録画することができるかを正確に把握するのは困難である。
【０００３】
このようなＶＢＲ方式を使用した記録再生装置に関する従来技術が特許文献１〜特許文献４などによって開示されている。
【０００４】
【特許文献１】特開平１１−１０３４４６号公報
【特許文献２】特開２０００−３０３６５号公報
【特許文献３】特開２００４−４８１３８号公報
【特許文献４】特開２００４−２６６８５７号公報
【発明の開示】
【発明が解決しようとする課題】
【０００５】
上記した従来技術は、概ね、ディスク（記録媒体）の空き容量に応じてビットレートを変化させる動作を行う（録画予定時間量に対してディスク空き容量が不足すると判断される場合にはビットレートを下げて録画するなど）ものであり、ディスクに対する“録画可能時間”の算出を、ディスクの空き容量を根拠として行うものである。
【０００６】
しかし、このような方法によると、ディスク（記録媒体）の空き容量に応じて録画の画質が高くなったり低くなったりするため、「映像を常に所定の画質で撮りたい」というユーザには向かないものであった。また、ディスクに対する総録画時間が増減することとなるため、ＶＢＲ方式の仕組みなどについてあまり詳しくないユーザ（現状では大多数のユーザと思われる）にとっては使いづらいものとなるおそれがある。例えば、初回に録画したＤＶＤが、３時間記録できたため、次回の録画時にもそのつもりでいた（同じ設定で録画を行えば３時間録画できるはずであると思っていた）にも関わらず、実際には２時間あまりしか録画できず、所望の番組を録画することができなかった等ということが生じ得た。
【０００７】
本発明は、上記した点に鑑み、映像信号のエンコード時に、当該映像信号の状況に応じて、割当てる単位時間あたりの情報量を変化させてエンコードし、記録媒体へのコンテンツの書込みを行う記録再生装置であって、所定の容量の記録媒体に対して所定の画質で映像を記録する場合には所定の録画時間となるようにした記録再生装置若しくは残録画時間量の管理方法を提供することを目的とする。
【課題を解決するための手段】
【０００８】
請求項１の記録再生装置は、映像信号のエンコード時に、当該映像信号の状況に応じて、割当てる単位時間あたりの情報量を変化させてエンコードし、記録媒体へのコンテンツの書込みを行う記録再生装置であって、前記記録媒体の容量に応じて当該記録媒体に記録できる総録画時間量を予め設定し、当該予め設定された総録画時間量から、当該記録媒体に記録されているコンテンツの実際の時間量を差し引くことにより、当該記録媒体に録画することができる残時間量を算出することを特徴とする。
【０００９】
上記構成によれば、記録媒体の容量に応じて記録できる総録画時間量が予め設定され、当該記録媒体に対する映像の録画があった場合には、総録画時間量から実際の録画時間を差し引いた時間が、当該記録媒体に対して記録することができる残り時間として使用される。
【００１０】
請求項２の記録再生装置は、前記映像信号に割当てる単位時間当たりの情報量の変化範囲の設定により、前記記録媒体に記録するコンテンツの画質レベルを数段階から選択できるようにした請求項１記載の記録再生装置であって、前記総録画時間量から、前記記録媒体に記録されているコンテンツの実際の時間量に当該コンテンツの画質レベルに応じた補正係数を乗じて差し引くことにより、当該記録媒体に録画することができる残時間量を算出することを特徴とする。
【００１１】
上記構成によれば、“画質レベル”（例えば高画質モードや低画質モードなど）に応じた補正係数（例えば“高画質モード”が“低画質モード”の約２倍のデータ量を使用するものであれば、“高画質モード”に「２」の補正係数が割当てられる若しくは“低画質モード”に「１／２」の補正係数が割当てられる）をコンテンツの実際の記録時間量に乗じて、記録媒体の容量に応じて予め設定された総録画時間量から減算することによって記録媒体に対して記録することができる残り時間が算出される。
【００１２】
請求項３の記録再生装置は、請求項１又は請求項２に記載の記録再生装置であって、前記残時間量を、前記記録媒体に記録することを特徴とする。
【００１３】
上記構成によれば、算出された“記録媒体に対して記録することができる残り時間”が記録媒体に記録・保持される。
【００１４】
請求項４の記録再生装置は、請求項１又は請求項２に記載の記録再生装置であって、前記記録媒体に記録されているコンテンツの実際の時間量を、当該記録媒体に記録されている各コンテンツの録画時間情報から算出することを特徴とする。
【００１５】
上記構成によれば、記録媒体に記録されている各コンテンツの記録時間や画質モードなどの情報から、「記録媒体に記録されているコンテンツの実際の時間量」や、「記記録媒体に記録されているコンテンツの実際の時間量に当該コンテンツの画質レベルに応じた補正係数を乗じた時間量」が算出される。
【００１６】
請求項５の記録再生装置は、請求項１乃至請求項４の何れか１つに記載の記録再生装置であって、前記記録媒体の空き容量から予測される録画可能時間量が、前記算出された残時間量よりも少ない場合には、前記録画可能時間量を前記残時間量として扱うことを特徴とする。
【００１７】
上記構成によれば、「記録媒体の容量に応じて予め設定された総録画時間量」から録画時間に補正係数を乗じること等によって算出される「コンテンツの録画時間量」を差し引くことによって算出される“残時間量”と、記録媒体の空き容量から予測される（空き容量を平均ビットレートで除算すること等によって算出される）“録画可能時間量”と、を比較し、少ない方が、記録媒体に録画することができる残時間量として用いられる。
【００１８】
請求項６の残録画時間量の管理方法は、映像信号のエンコード時に、当該映像信号の状況に応じて、割当てる単位時間あたりの情報量を変化させてエンコードし、記録媒体へのコンテンツの書込みを行う記録再生装置における、前記記録媒体へ録画することができる残録画時間量の管理方法であって、前記記録媒体の容量に応じて当該記録媒体に記録できる総録画時間量を予め設定し、当該予め設定された総録画時間量から、当該記録媒体に記録されているコンテンツの実際の時間量を差し引くことにより、当該記録媒体に録画することができる残時間量を算出することを特徴とする。
【００１９】
請求項７の残録画時間量の管理方法は、前記映像信号に割当てる単位時間当たりの情報量の変化範囲の設定により、前記記録媒体に記録するコンテンツの画質レベルを数段階から選択できるようにした記録再生装置における、請求項６記載の残録画時間量の管理方法であって、前記総録画時間量から、前記記録媒体に記録されているコンテンツの実際の時間量に当該コンテンツの画質レベルに応じた補正係数を乗じて差し引くことにより、当該記録媒体に録画することができる残時間量を算出することを特徴とする。
【００２０】
請求項８の残録画時間量の管理方法は、請求項６又は請求項７に記載の残録画時間量の管理方法であって、前記残時間量を、前記記録媒体に記録することを特徴とする。
【００２１】
請求項９の残録画時間量の管理方法は、請求項６又は請求項７に記載の残録画時間量の管理方法であって、前記記録媒体に記録されているコンテンツの実際の時間量を、当該記録媒体に記録されている各コンテンツの録画時間情報から算出することを特徴とする。
【００２２】
請求項１０の残録画時間量の管理方法は、請求項６乃至請求項９の何れか１つに記載の残録画時間量の管理方法であって、前記記録媒体の空き容量から予測される録画可能時間量が、前記算出された残時間量よりも少ない場合には、前記録画可能時間量を前記残時間量として扱うことを特徴とする。
【００２３】
請求項１１の残録画時間量の管理プログラムは、映像信号のエンコード時に、当該映像信号の状況に応じて、割当てる単位時間あたりの情報量を変化させてエンコードし、記録媒体へのコンテンツの書込みを行う記録再生装置に備えられるマイコンに、前記記録媒体から、当該記録媒体に録画することができる残時間量を取得するステップと、当該記録媒体に対するコンテンツの録画処理があった場合には当該コンテンツの録画時間量に当該コンテンツの画質レベルに応じた補正係数を乗じて前記残時間量から差し引くことにより前記残時間量を更新するステップと、当該更新された残時間量を前記記録媒体に記録するステップと、を実行させることを特徴とする。
【００２４】
請求項１２の残録画時間量の管理プログラムは、映像信号のエンコード時に、当該映像信号の状況に応じて、割当てる単位時間あたりの情報量を変化させてエンコードし、記録媒体へのコンテンツの書込みを行う記録再生装置に備えられるマイコンに、前記記録媒体から当該記録媒体の総容量を取得し、当該総容量に応じて予め設定された当該記録媒体に記録できる総録画時間量を取得するステップと、前記記録媒体から当該記録媒体に記録されている各コンテンツの録画時間と画質レベルを示す情報を取得し、各コンテンツに対応する当該録画時間に画質レベルに応じた補正係数を乗じて得た時間データを積算して録画時間量を得るステップと、当該録画時間量を前記総録画時間量から減算することで当該記録媒体に録画することができる残時間量を算出するステップと、当該記録媒体に対するコンテンツの録画処理があった場合には当該コンテンツの録画時間量に当該コンテンツの画質レベルに応じた補正係数を乗じて前記残時間量から差し引くことにより前記残時間量を更新するステップと、を実行させることを特徴とする。
【００２５】
請求項１３の残録画時間量の管理プログラムは、請求項１１又は請求項１２に記載の残録画時間量の管理プログラムであって、前記記録媒体から当該記録媒体の空き容量を取得するステップと、当該空き容量から予測される録画可能時間量と前記残時間量とを比較するステップと、当該比較の結果、時間量が少ない方を、前記記録媒体にさらに録画することができる時間量とするステップと、を実行させることを特徴とする。
【発明の効果】
【００２６】
本発明の請求項１の、映像信号のエンコード時に、当該映像信号の状況に応じて、割当てる単位時間あたりの情報量を変化させてエンコードし、記録媒体へのコンテンツの書込みを行う記録再生装置であって、前記記録媒体の容量に応じて当該記録媒体に記録できる総録画時間量を予め設定し、当該予め設定された総録画時間量から、当該記録媒体に記録されているコンテンツの実際の時間量を差し引くことにより、当該記録媒体に録画することができる残時間量を算出することを特徴とする記録再生装置によれば、記録媒体の容量に応じて予め設定される総録画時間量から実際の録画時間を差し引いた時間が、当該記録媒体に対して記録することができる残り時間として使用される。従って、ＶＢＲ方式などを使用することにより、録画時間や各種設定（例えばＶＢＲにおける最高ビットレートの設定など）は同一であるが、映像の状況により必要となる情報量が異なるような場合であっても、「所定の容量の記録媒体に対しては所定の録画時間」となる。すなわち、例えば容量から“２時間録画”とされた媒体に４５分の録画を行った場合には残り録画時間が（媒体の空き容量とは関係なく）１時間１５分とされる。よって、録画する映像の状況に従って媒体への録画時間が上下するということがなく、ＶＢＲ方式の仕組みなどについてあまり詳しくないユーザに対して誤解や混乱（例えば前回は同一設定にて２時間３０分の録画ができたのに、今回は２時間しか録画できず、装置の故障若しくは媒体の不良ではないか？と誤解をしてしまう等）を生じさせてしまうことを防止することができる。
【００２７】
本発明の請求項２の、前記映像信号に割当てる単位時間当たりの情報量の変化範囲の設定により、前記記録媒体に記録するコンテンツの画質レベルを数段階から選択できるようにした請求項１記載の記録再生装置であって、前記総録画時間量から、前記記録媒体に記録されているコンテンツの実際の時間量に当該コンテンツの画質レベルに応じた補正係数を乗じて差し引くことにより、当該記録媒体に録画することができる残時間量を算出することを特徴とする記録再生装置によれば、“画質レベル”に応じた補正係数をコンテンツの実際の記録時間に乗じて、記録媒体の容量に応じて予め設定された総録画時間量から減算することによって記録媒体に対して記録することができる残り時間量が算出される。従って、例えば、容量から“高画質モード２時間録画”とされた媒体に、低画質モードで１時間の録画を行った場合には、１時間×（１／２）＝３０分が減算されて、残り録画時間が「高画質モードで１時間３０分」とされるといった処理が行われる（すなわち当該媒体は“低画質モード４時間録画”となる。なお、“１／２”は高画質モードの情報量が低画質モードの約２倍であるとした場合の補正係数）ため、画質レベルの選択を行える装置であっても、ＶＢＲ方式であることによって生じ得るユーザの誤解や混乱を抑止することができる。
【００２８】
本発明の請求項３の、前記残時間量を、前記記録媒体に記録することを特徴とする請求項１又は請求項２に記載の記録再生装置によれば、算出された“記録媒体に対して記録することができる残り時間”が記録媒体に記録・保持されるため、前回使用した媒体（一度装置から取り出した場合など）にさらに追加して録画する場合等に、当該記録媒体から「残時間量」を取得して使用することができる。
【００２９】
本発明の請求項４の、前記記録媒体に記録されているコンテンツの実際の時間量を、当該記録媒体に記録されている各コンテンツの録画時間情報から算出することを特徴とする請求項１又は請求項２に記載の記録再生装置によれば、記録媒体に記録されている各コンテンツの記録時間や画質モードなどの情報から、「残時間量」が算出されるため、従来存在する記録媒体であっても、「録画時間」や「画質モード」などの情報を備えている記録媒体（例えばＶＲフォーマットにおける管理情報ファイル内に保持されているタイトル情報など）であれば、なんら変更を加えることなく本発明を適用でき、汎用性に優れる。
【００３０】
本発明の請求項５の、前記記録媒体の空き容量から予測される録画可能時間量が、前記算出された残時間量よりも少ない場合には、前記録画可能時間量を前記残時間量として扱うことを特徴とする請求項１乃至請求項４の何れか１つに記載の記録再生装置によれば、「記録媒体の容量に応じて予め設定された総録画時間量」から「コンテンツの録画時間量」を差し引くことによって算出される“残時間量”と、記録媒体の空き容量から予測される（空き容量を平均ビットレートで除算すること等によって算出される）“録画可能時間量”と、を比較し、少ない方が、記録媒体に録画することができる残時間量として用いられる。「記録媒体の容量に応じて予め設定された総録画時間量」の定め方によっては、動き（変化）の激しい映像を撮り続けると“総録画時間量”に至る前に媒体の容量が不足するという場合も生じ得るが、上記構成によれば、総録画時間量からコンテンツの録画時間量を差し引くことによって算出される“残時間量”だけでなく、記録媒体の空き容量から予測される“録画可能時間量”も同時に算出し、これと比較検証しているため、より信用度の高い処理を行わせることができる。
【発明を実施するための最良の形態】
【００３１】
以下、本発明の具体的実施例について、図面を参照しながら説明する。なお、以下の実施態様は、本発明を具体化する際の一形態であって、本発明をその範囲内に限定するためのものではない。
【実施例１】
【００３２】
図１は本実施例のＤＶＤ記録再生装置内蔵ＬＣＤの本発明に係る部分のみの概略を示すブロック図であり、図２は同ＤＶＤ記録再生装置内蔵ＬＣＤの斜視図、図３は本発明に関する部分の動作の概略を示すフローチャートである。
【００３３】
図１に示されるように、本実施例のＤＶＤ記録再生装置内蔵ＬＣＤ（以下単にＤＶＤ内蔵ＬＣＤ）１は、記録媒体であるＤＶＤ２３への信号の書込み又はＤＶＤ２３からの信号の読込みをおこなうディスクドライブ１１、表示部１２、チューナ部１３ａ又は外部入出力部１３ｂからの信号を切替えて出力する入力切替部１３、操作部１４ａ又は受光部１４ｂからの信号を判別して出力するキー判別部１４、装置全体の制御を行う制御部１５等を有する。さらに、ＤＶＤ内蔵ＬＣＤ１は、入力切替部１３から入力された映像音声信号をＭＰＥＧ規格に基づいた信号に変換するエンコーダやＤＶＤ−ＶＲフォーマットの規格に準拠した記録データを生成する機能を備える記録制御部１６、ディスクドライブ１１から入力されたデータを伸張するデコーダ等を備える再生制御部１７、入力切替部１３若しくは再生制御部１７等から入力された映像信号を表示部１２へ表示させる処理を行う表示処理部１８、記憶部１９などを備える。本実施例のＤＶＤ内蔵ＬＣＤ１は、ＭＰＥＧ圧縮時に、映像の動きや色の変化の激しい部分により多くの情報量を割り当てるＶａｒｉａｂｌｅ  Ｂｉｔ  Ｒａｔｅ（ＶＢＲ）方式を使用して圧縮を行うものである。
【００３４】
次に図３を参照しつつ、本実施例のＤＶＤ内蔵ＬＣＤ１の、ＤＶＤ２３に対して録画することができる時間（残時間量）の算出処理の概要を説明する。ステップ３０１では、ＤＶＤ２３が未使用のディスクであるか否かの判断（ディスク挿入時若しくは電源オン時などに）を行い、既に使用（録画）されているディスクである場合には後に説明する「残時間量」情報をＤＶＤ２３から取得して変数Ｔ１に代入し、記憶部１９に保存する（ステップ３０２ｂ）。一方、未使用のディスクである場合には、ステップ３０２ａにおいてディスク総容量（例えば４.７Ｇバイト）を取得して、当該記録容量に応じて予め定められた「総録画時間量」（例えば２時間）を算出し、変数Ｔ１に代入する。「総録画時間量の算出」は、例えば、「記録容量に応じた総録画時間量」を、ＶＢＲ方式において最高ビットレートが８Ｍｂｐｓである場合に、平均ビットレートが５Ｍｂｐｓであるため、４.７ＧバイトのＤＶＤの総録画時間量を２時間（４.７×１０２４×８／５×６０×６０≒２.１時間であり、映像以外の情報の容量などを考慮して２時間）とする。というように予め設定して、各容量に応じた総録画時間量を格納したテーブルを記憶部１９に記憶させておき、これを参照・取得すること等によって行う。なお、ステップ３０１などにおける判断動作は、ＤＶＤ２３からディスクドライブ１１と再生制御部１７とによって得られた信号を制御部１５が判断することによって行われる（以下の動作においてＤＶＤ２３から情報を取得して判断する場合も同様の概念である）。
【００３５】
ステップ３０３では、ＤＶＤ２３からディスクの空き容量の情報を取得し、「録画可能時間量」を算出し、変数Ｔ２に代入して記憶部１９に保存する。「録画可能時間量」の算出は、例えば、空き容量を平均ビットレートで除算すること等によって算出する。続くステップ３０４では、Ｔ１（残時間量）とＴ２（録画可能時間量）とを比較し、Ｔ１の方が少ない場合にはＴ１の数値をＴ３に代入し（ステップ３０５ａ）、Ｔ２の方が少ない場合にはＴ２の数値をＴ３に代入（ステップ３０５ｂ）してステップ３０６へと移行する。ステップ３０６において録画処理（チューナ部１３ａや外部入出力部１３ｂから入力される映像信号のＤＶＤ２３への録画動作）を待ち、録画があった場合には、当該録画時間に画質レベルに応じた補正係数を乗じて変数Ｔ４に代入し（ステップ３０７）、続くステップ３０８においてＴ１からＴ４を減算する。図４には、画質レベルとこれに応じた補正係数（及び各最高ビットレートと平均ビットレート）を格納したテーブルの一例を示した。ステップ３０７における処理では補正係数テーブル４０を参照することによって画質レベルに応じた補正係数を得て演算処理を行う。なお、図４に示したような補正係数とする場合（低画質モードの補正係数を“１”（基準）とする場合）には、「総録画時間量」の算出（ステップ３０２ａ）時の基準を“低画質モード”とする（すなわち、「総録画時間量」の算出時の基準と、補正係数の基準の画質モードを同一にする）。前述したように高画質モード（平均ビットレート＝５Ｍｂｐｓ）を基準として「総録画時間量」（２時間）を取得した場合には、高画質モードの補正係数を“１”とし、その他はこれに相対する係数（例えば最高画質モードは“２”、低画質モードは“１／３”）となる。
【００３６】
ステップ３０９ではＴ１をＤＶＤ２３に記録し、続くステップ３１０において、録画後のディスク空き容量から「録画可能時間量」を算出してＴ２に上書き処理し、ステップ３０４の処理へと戻る。Ｔ１（残時間量）のＤＶＤ２３への記録場所とし具体例を挙げると、例えば、Ｕｎｉｖｅｒｓａｌ  Ｄｉｓｋ  Ｆｏｒｍａｔ規格（論理フォーマット）におけるディスク管理領域（ディスク内に記録されているデータを管理するために必要な情報が記載されている領域）のＰｒｉｍａｒｙ  Ｖｏｌｕｍｅ  Ｄｅｓｃｒｉｐｔｏｒ（ディスク管理情報が記載されているボリューム記述子の１つ）の中のＲｅｓｅｒｖｅｄ領域（ＵＤＦ規格において明確に規定されていない領域であり、任意に使用できる予約領域）内が挙げられる。図７にＵＤＦ規格のファイル構造の一部（Ｒｅｓｅｒｖｅｄ領域がある部分）を示した。
【００３７】
このような処理により、変数Ｔ１には、「記録容量に応じた総録画時間量」からディスク（ＤＶＤ２３）に録画されている各コンテンツの実際の時間量に当該コンテンツの画質レベルに応じた補正係数を乗じて差し引いた「残時間量」が格納され、変数Ｔ２には、ディスク空き容量から予測される「録画可能時間量」が格納され、変数Ｔ３には、上記Ｔ２とＴ３のうち小さい値となっているものが格納されることとなる。従って、ＤＶＤ内蔵ＬＣＤ１の各動作処理（例えば録画予約処理など）において、Ｔ３の値をディスク（ＤＶＤ２３）に対して録画することができる残り時間として扱う（例えば、録画予約処理においてＴ３を“録画可能時間”として表示させるなど）ことにより、「記録媒体の容量に応じて予め設定された総録画時間量」から「コンテンツの録画時間量」を差し引くことによって算出される“残時間量（媒体の空き容量とは関係なく録画時間によって算出される時間）”と、記録媒体の空き容量から予測される“録画可能時間量”と、を比較して少ない方が、ディスクに録画することができる残り時間として用いられることとなる。なお、Ｔ２の値をディスク（ＤＶＤ２３）に対して録画することができる残り時間として扱うことにより、ディスクに録画することができる残り時間を「記録媒体の容量に応じて予め設定された総録画時間量」から「コンテンツの録画時間量」を差し引くことによって算出される“残時間量”のみによって扱うようにすることもできる。
【００３８】
以上のごとく、本実施例のＤＶＤ内蔵ＬＣＤ１によれば、記録媒体の容量に応じて予め設定される「総録画時間量」から実際の録画時間を差し引いた時間が、当該記録媒体に対して記録することができる残り時間として使用されるため、基本的に「所定の容量の記録媒体に対しては所定の録画時間」となる。よって、録画する映像の状況に従って媒体への録画時間が上下するということが基本的に無いため、ＶＢＲ方式の仕組みなどについてあまり詳しくないユーザに対して誤解や混乱を生じさせてしまうことを防止することができると共に、「残り録画時間」を秒単位で正確に表示させることが可能となる。また、“画質レベル”に応じた補正係数をコンテンツの実際の記録時間に乗じて、記録媒体の容量に応じて予め設定された総録画時間量から減算することによって記録媒体に対して記録することができる残り時間量を算出しているため、画質レベルの選択を行える装置であっても、ＶＢＲ方式であることによって生じ得るユーザの誤解や混乱を抑止することができる。さらに、算出された“残時間量（Ｔ１）”が記録媒体（ＤＶＤ２３）に記録・保持される（ステップ３０９）ため、次回使用時に当該記録媒体から残時間量を取得（ステップ３０２ｂ）して使用することができる。
【００３９】
なお、本実施例の残時間量の算出処理（図３）では、ステップ３０９においてＴ１（残時間量）をディスクに書き込む（すなわち、録画処理がある度に上書き処理を行う）ようにしているが、このように毎回書き込むのではなく、ディスク（ＤＶＤ２３）の取り出し時や、電源オフ時などにのみ書き込むようにしてもいい。また、ディスクへの書き込み時には、残時間量を示す数値データだけでなく、残時間量のデータであることを示す情報を記録するなどしても良い（誤動作防止などのため）し、Ｔ１をディスク（ＤＶＤ２３）へ書き込むのではなく、装置に備えられる記憶領域（記憶部１９）内に媒体（ディスク）識別情報と共に格納するようにしても良い。
【実施例２】
【００４０】
図５及び図６は本実施例のＤＶＤ記録再生装置内蔵ＬＣＤの本発明に関する部分の動作の概略を示すフローチャートである。なお、実施例１（図３）と同様の処理概念となるものには実施例１と同一の符号を使用し、ここでの説明を省略する。また、本実施例のＤＶＤ記録再生装置内蔵ＬＣＤの構成は実施例１と同様であるため、ここでの説明を省略し、必要があるときは図１等を参照して説明する。
【００４１】
図５及び図６を参照しつつ、本実施例の、記録媒体（ＤＶＤ２３）に対して録画することができる時間（残時間量）の算出処理の概要を説明する。ステップ３０１における判別が肯定（ＤＶＤ２３が未使用ディスク）であった場合には、ステップ３０３を経てステップ３０４へと移行する。なお、この場合、ＤＶＤ２３は未使用ディスクであるため、ステップ３０３における「ディスク空き容量」は、ＤＶＤ２３における映像を記録することができる全ての容量となる。ステップ３０１における判別が否定（ＤＶＤ２３が使用ディスク）であった場合には、ステップ３０２ａ（「ディスク総容量」に応じて予め定められた「総録画時間量」を変数Ｔ１に代入）を経て、ステップ５０１においてディスク（ＤＶＤ２３）からディスクに記録されているタイトル数を取得して変数ｎに代入する。続くループ１における処理では、ディスク（ＤＶＤ２３）からディスクに記録されているｉ番目のタイトルの録画時間と画質モードの情報を取得して、画質モードに応じた補正係数（図４）を録画時間に乗じてＴ５に積算する（ステップ５０２）処理を、ｉを１ずつ増加させながら（ステップ５０３）ｎとなるまで（ディスクに記録されているタイトル数分）繰り返す。ステップ５０４では、Ｔ１からＴ５を減算する。ループ１とステップ５０４の処理により、Ｔ１には、「ＤＶＤ２３の容量に応じた総録画時間量」から、ＤＶＤ２３に録画されている各コンテンツの実際の時間量に当該コンテンツの画質レベルに応じた補正係数を乗じて積算することにより得られる「録画時間量」を差し引いた「残時間量」が格納される。
【００４２】
ステップ５０５では、ＤＶＤ２３からディスク空き容量を取得し、これから「録画可能時間量」を算出（空き容量を平均ビットレートで除算すること等によって算出）してＴ２に代入する。以降のステップ３０４からステップ３１０までの処理（図６）は実施例１（図３）と同様の処理概念である。なお、実施例１におけるステップ３０９の処理（「残時間量」のディスクへの記録）は無く、代わりに録画処理中（ステップ３０６）においてＤＶＤ２３に書き込まれるコンテンツのタイトル情報（例えばＶＲフォーマットにおける管理情報ファイル内に保持されているタイトル情報など）を利用（ステップ５０１〜ステップ５０４）している。
【００４３】
このような処理により、変数Ｔ１には、「記録容量に応じた総録画時間量」からディスク（ＤＶＤ２３）に録画されている各コンテンツの実際の時間量に当該コンテンツの画質レベルに応じた補正係数を乗じて積算した「録画時間量」を差し引いた「残時間量」が格納され、変数Ｔ２には、ディスク空き容量から予測される「録画可能時間量」が格納され、変数Ｔ３には、上記Ｔ２とＴ３のうち小さい値となっているものが格納されることとなる。
【００４４】
以上のごとく、本実施例の残時間量の算出処理によれば、記録媒体（ＤＶＤ２３）に記録されている各コンテンツの記録時間や画質モードなどの情報から、「残時間量」が算出されるため、従来存在する、「録画時間」や「画質モード」などの情報を備えている記録媒体であれば、これになんら変更を加えることなく本発明を適用できるため汎用性に優れる。
【００４５】
なお、実施例中では、「記録再生装置」の具体例としてＤＶＤ内蔵ＬＣＤを用いたが、本発明をこれに限るものではなく、記録媒体としては、ＤＶＤ以外の光ディスク媒体や、ＨＤＤに代表される磁気ディスク媒体、フラッシュメモリなどの半導体素子により構成される記録媒体などをも含むものであり、本発明に係る「記録再生装置」は、前記した記録媒体に対する記録再生装置をいう。また、実施例（ＤＶＤ内蔵ＬＣＤ１）からも明らかなように、本発明における「記録再生装置」とは、記録媒体に対する映像の録画／再生のみを行う装置に限らず、他の機能と一体化されているような複合型の装置をも含む概念である。
【図面の簡単な説明】
【００４６】
【図１】ＤＶＤ記録再生装置内蔵ＬＣＤの本発明に係る部分のみの概略を示すブロック図
【図２】ＤＶＤ記録再生装置内蔵ＬＣＤの斜視図
【図３】実施例１の“残時間量”の算出処理動作の概略を示すフローチャート
【図４】補正係数テーブルの一例を示す図
【図５】実施例２の“残時間量”の算出処理動作の概略を示すフローチャート
【図６】実施例２の“残時間量”の算出処理動作の概略を示すフローチャート
【図７】ＵＤＦ規格のファイル構造の一部を示す図
【符号の説明】
【００４７】
１      ＤＶＤ記録再生装置内蔵ＬＣＤ（記録再生装置）
１１    ディスクドライブ
１５    制御部
１６    記録制御部
１７    再生制御部
１９    記憶部
２３    ＤＶＤ（記録媒体）
【図１】
2006173789.tif 000003
【図２】
2006173789.tif 000004
【図３】
2006173789.tif 000005
【図４】
2006173789.tif 000006
【図５】
2006173789.tif 000007
【図６】
2006173789.tif 000008
【図７】
2006173789.tif 000009